(57)【要約】      （修正有）【課題】トイレットペーパーの余り代が常にホルダーより外に出て、ストレス無くスムーズに取り出して切断できる、トイレットペーパーホルダーを提供する。【解決手段】トイレットペーパーホルダー１は、トイレットペーパー４を収容する収容部２と、収容部２内部に設けられ、トイレットペーパー４の芯６内部を貫通して、トイレットペーパーを回転可能とする回転軸５と、トイレットペーパー４の取り出し部分にあてがわれ、回動可能なバー７と、回転軸５を基準にして、バー７よりも前方かつ下方に設けられる、トイレットペーパーの切断部８と、を備える。バー７は、トイレットペーパー４にあてがわれる接触面７１を有し、接触面７１の摩擦力および傾き変化の少なくとも一方によって、トイレットペーパーが切断された後の反動を吸収する。【選択図】図１
0003175095.tif 000002
【実用新案登録請求の範囲】
【請求項１】
トイレットペーパーを収容する収容部と、
前記収容部内部に設けられ、前記トイレットペーパーの芯内部を貫通して、前記トイレットペーパーを回転可能とする回転軸と、
前記トイレットペーパーの取り出し部分にあてがわれ、回動可能なバーと、
前記回転軸を基準にして、前記バーよりも前方かつ下方に設けられる、前記トイレットペーパーの切断部と、を備え、
前記バーは、前記トイレットペーパーにあてがわれる接触面を有し、
前記バーは、前記接触面の摩擦力および前記接触面の傾き変化の少なくとも一方によって、前記トイレットペーパーが前記切断部で切断された後の反動を吸収する、トイレットペーパーホルダー。
【請求項２】
前記接触面は、前記トイレットペーパーが前記切断部で切断された後に、前記トイレットペーパーの取り出し部分に摩擦力を付与する、請求項１記載のトイレットペーパーホルダー。
【請求項３】
前記接触面は、前記トイレットペーパーが前記切断部で切断される際には、前記回転軸を基準にして、前方下側に傾き、前記トイレットペーパーが前記切断部で切断された後には、前記回転軸を基準にして、後方下側に傾く、請求項１又は２記載のトイレットペーパーホルダー。
【請求項４】
前記バーは、前記トイレットペーパーの引き出し方向に沿って回動する、請求項１から３のいずれか記載のトイレットペーパーホルダー。
【請求項５】
前記バーは、前記切断部と略平行に設けられる、請求項１から４のいずれか記載のトイレットペーパーホルダー。
【請求項６】
前記バーは、前記回転軸を基準として、前記トイレットペーパーの取り出し側に設けられる、請求項１から５のいずれか記載のトイレットペーパーホルダー。
【請求項７】
前記接触面の少なくとも一部は、前記トイレットペーパーの裏面と、接触可能である、請求項１から６のいずれか記載のトイレットペーパーホルダー。
【請求項８】
前記接触面は、前記収容部および前記切断部よりも高い摩擦係数を有する、請求項１から７のいずれか記載のトイレットペーパーホルダー。
【請求項９】
前記接触面は、前記トイレットペーパーの取り出し方向と略垂直である、第１端部および第２端部を有し、前記第１端部は、前記回転軸側に位置し、前記第２端部は、前記切断部側に位置し、
前記トイレットペーパーが、前記切断部で切断される際には、前記第１端部が前記第２端部よりも高い位置にあり、前記トイレットペーパーが、前記切断部で切断された後には、前記第２端部が前記第１端部よりも高い位置にある、請求項１から８のいずれか記載のトイレットペーパーホルダー。
【請求項１０】
前記トイレットペーパーが前記切断部で切断される際には、前記トイレットペーパーの裏面は、前記第２端部および前記接触面の少なくとも一部と接触し、
前記トイレットペーパーが前記切断部で切断された後には、前記トイレットペーパーの裏面は、前記第１端部および前記接触面の少なくとも一部と接触する、請求項９記載のトイレットペーパーホルダー。
【請求項１１】
前記第２端部と前記切断部は、所定の離隔距離を有し、
前記トイレットペーパーが前記切断部で切断された後には、前記離隔距離に相当する余り代が生じる、請求項９又は１０記載のトイレットペーパーホルダー。
【請求項１２】
前記切断部は、湾曲部分を有している、請求項１から１１のいずれか記載のトイレットペーパーホルダー。
【請求項１３】
前記回動軸に垂直方向の前記バーの断面形状は、略三角形もしくは略台形である、請求項１から１２のいずれか記載のトイレットペーパー。
【考案の詳細な説明】
【技術分野】
【０００１】
本考案は、トイレにおいて使用されるトイレットペーパーを保持しつつ、使用者が引き出しながら簡単に切断できる、切断機構を有するトイレットペーパーホルダーに関する。
【背景技術】
【０００２】
我が国は、諸外国の中でも、トイレの清潔感、安心感、快適感を実現してきている。トイレは、もちろん、使用者が排泄行為を行う場所であり、決して清潔かつ好ましい場所とはいえない。しかし、我が国においては、清潔感および快適感を追求する文化と技術力とが相まって、トイレを不快な場所から快適な場所に帰る努力と工夫が、不断になされている。
【０００３】
このような努力や工夫の結果、我が国においては、トイレはもはや不潔かつ不快な空間ではなくなりつつある。実際に、新規に建設される集合住宅や戸建て住宅においても、トイレは、日常空間に近い場所に配置されたり、従来よりも広い面積が確保されたりしている。あるいは、オフィスビルや工場などにおいても、従来に比べて、目立つ場所に設置されたり、広い面積が確保されたりしている。このような結果、トイレは隠されるものではなく、日常生活を快適に過ごす場所としての位置づけを確保しつつある。
【０００４】
トイレが清潔かつ快適な場所とされるために、様々な工夫が提案されている。ここで、トイレは、（１）便器そのもの、（２）室内空間、（３）換気、（４）洗面、（５）荷物の設置、などの要素に分割できる。
【０００５】
（１）の便器そのものでは、暖房便座や自動洗浄便器などが既に普及している。省エネを意識した暖房便座や、より簡便に洗浄できる自動洗浄便器が提案されている。（２）の室内空間については、従来に比べてより広い空間がトイレに採用される傾向がある。例えば、トイレ室内に、種々の収納スペースが設けられることはもちろんのこと、機能優先ではなく快適優先での、広い面積が確保されることも多い。（３）の換気では、より高性能な換気機構がトイレに備わることも多くなっている。特に、換気扇は、ダクトに接続しているために、不快な臭いがダクトを通じて逆流することもあった。近年の換気機構は、このような臭いの逆流を防ぐ機能も有している。（４）の洗面においては、センサーによる自動水洗や自動洗浄液噴射が普及してきている。（５）の荷物の設置においても、コートフックや乳児ホルダーなど、様々な利便性が提供されている。
【０００６】
また、これらに加えて、近年のトイレは、室内の芳香はもちろんのことインテリアデザイン性も高くなっており、通常の室内空間と変わらない快適さを提供できるようになっている。
【０００７】
しかしながら、トイレの快適性や居住性が向上しているとはいえ、トイレの役割は快適な排泄行為ができることである。トイレを使用する使用者は、トイレ室内のインテリアや機能も重視するが、快適かつスムーズな排泄行為を行うことを重視する。快適かつスムーズな排泄行為を行うにあたり、現在のトイレでは、トイレットペーパーホルダーからトイレットペーパーを取り出すことに不快感が残っている。トイレでの排泄行為においては、自動洗浄を用いる場合でも用いない場合でも、トイレットペーパーを使用する必要がある。
【０００８】
トイレットペーパーホルダーは、トイレットペーパーを保持した状態から、トイレットペーパーを引き出させて、使用者に提供する。このとき、ほとんどのトイレットペーパーホルダーでは、引き出されたトイレットペーパーを切断する切断機構を備えており、この切断機構においてトイレットペーパーが切断される。このため、使用者は、トイレットペーパーを引き出す際に、ペーパーの切断部を探しにくい問題を抱えている。特にトイレットペーパーは、長いペーパーが巻かれたものであるので、ペーパー同士の摩擦力が強く、引き出しにくい問題もある。自動洗浄の後でも、使用者はトイレットペーパーを使用したいが、トイレットペーパーがなかなか引き出せないと、いつまでも不快な状態が継続してしまう。
【０００９】
室内のインテリアや自動洗浄便器などが備わっていても、排泄後にトイレットペーパーを使用するとの基本的な動作に手間取る状態は、使用者を非常に不快にさせてしまう。すなわち、現在のトイレ空間は、様々な快適性を提供できているにも係らず、トイレにおける根本的な機能であるトイレットペーパーの速やかな使用を、十分に実現できていない問題を有している。この状態が解決しなければ、本来の意味での清潔かつ快適なトイレ空間が提供できない。
【００１０】
このような状況において、様々なトイレットペーパーホルダーの技術が提供されている（例えば、特許文献１、２参照）。
【先行技術文献】
【特許文献】
【００１１】
【特許文献１】特開２０１１−３６６０４号公報
【特許文献２】特開２００８−２９７７６号公報
【考案の概要】
【考案が解決しようとする課題】
【００１２】
特許文献１は、トイレットペーパーの先端を案内する案内板と、案内板より引き出されたトイレットペーパーを、下端よりも高い位置で切断するカッターを備えるトイレットペーパーホルダーを開示する。
【００１３】
しかしながら、特許文献１に開示されるトイレットペーパーホルダーは、その構造が大掛かりであり、製造コストが高くなる。もちろん、一般家庭やオフィスなどのトイレにおいて設置することは、コストや工程の面からも不便である。また、下向きにトイレットペーパーを引き出す必要があり、使い勝手の悪い問題もある。また、トイレットペーパーの下端より上に配置されたカッターにより切断されるとしても、引き戻される圧力や摩擦力によって、トイレットペーパーの先端が、ホルダー内部に戻ってしまう問題も有している。
【００１４】
特許文献２も、トイレットペーパーの切断面を、ホルダーよりも先端に配置する技術を開示する。
【００１５】
しかしながら、特許文献１に開示される技術と同様に、特許文献２に開示される技術も、トイレットペーパーが引き出しにくかったり、引き出したトイレットペーパーが戻ってしまったりする問題を解決できていない。距離を生じさせても、トイレットペーパーの切断時に生じる反動を消失させることができないので、トイレットペーパーは反動によって巻きまわし部分に戻ってしまうからである。
【００１６】
このように、従来技術のトイレットペーパーホルダーは、トイレットペーパーをストレス無くスムーズに取り出すことができない問題を有していた。
【００１７】
また、特許文献１、２のようなトイレットペーパーホルダーは、構造が複雑であるために、トイレットペーパーの交換が面倒となる。一般家庭と異なり、オフィスビルや工場では、専任の作業者がトイレットペーパーを交換する。このため、トイレットペーパーの交換が複雑であると、作業者への負担が大きくなり、結果的に、特許文献１、２のようなトイレットペーパーホルダーの普及が進まない問題も生じる。
【００１８】
本考案は、トイレットペーパーの余り代が常にホルダーより外に出て、ストレス無くスムーズに取り出して切断できる、トイレットペーパーホルダーを提供することを目的とする。
【課題を解決するための手段】
【００１９】
上記問題を解決するために、本考案のトイレットペーパーホルダーは、トイレットペーパーを収容する収容部と、収容部内部に設けられ、トイレットペーパーの芯内部を貫通して、トイレットペーパーを回転可能とする回転軸と、トイレットペーパーの取り出し部分にあてがわれ、回動可能なバーと、回転軸を基準にして、バーよりも前方かつ下方に設けられる、トイレットペーパーの切断部と、を備え、バーは、トイレットペーパーにあてがわれる接触面を有し、バーは、接触面の摩擦力および接触面の傾き変化の少なくとも一方によって、トイレットペーパーが切断部で切断された後の反動を吸収する。
【考案の効果】
【００２０】
本考案のトイレットペーパーホルダーは、トイレットペーパーを切断した後でも、ホルダー本体に引き戻されること無く、余り代を残すことができる。この結果、使用者は、トイレットペーパーを常にストレス無くスムーズに引き出すことができる。特に、先端の回動によって、余り代が確実に残る。
【００２１】
また、本考案のトイレットペーパーホルダーは、トイレットペーパーを箱状の本体部に設置するだけで済むので、トイレットペーパーの交換も容易である。結果として、様々な場所のトイレに設置が可能となる。結果として、本考案のトイレットペーパーホルダーは、一般家庭だけでなく、オフィスビルや工場のトイレなどにも広く普及しやすくなり、トイレットペーパーホルダーの製造コストも低減する。
【００２２】
更には、トイレットペーパーの使用がスムーズになることで、便器や室内空間などの快適性と相まって、トイレ空間の清潔性、快適性が更に高まる。
【図面の簡単な説明】
【００２３】
【図１】本考案の実施の形態におけるトイレットペーパーホルダーの斜視図である。
【図２】本考案のトイレットペーパーホルダーの斜視図である。
【図３】本考案の実施の形態における収容部と取り付けられる回転軸とを示す斜視図である。
【図４】本考案の実施の形態におけるバーの斜視図である。
【図５】本考案の実施の形態におけるトイレットペーパーホルダーの正面図である。
【図６】本考案の実施の形態における使用動作図である。
【図７】本考案の実施の形態におけるトイレットペーパーホルダーの側面図である。
【図８】本考案の実施の形態におけるトイレットペーパーホルダーの側面図である。
【考案を実施するための形態】
【００２４】
本考案の第１の考案に係るトイレットペーパーホルダーは、トイレットペーパーを収容する収容部と、収容部内部に設けられ、トイレットペーパーの芯内部を貫通して、トイレットペーパーを回転可能とする回転軸と、トイレットペーパーの取り出し部分にあてがわれ、回動可能なバーと、回転軸を基準にして、バーよりも前方かつ下方に設けられる、トイレットペーパーの切断部と、を備え、バーは、トイレットペーパーにあてがわれる接触面を有し、バーは、接触面の摩擦力および接触面の傾き変化の少なくとも一方によって、トイレットペーパーが切断部で切断された後の反動を吸収する
【００２５】
この構成により、トイレットペーパーが切断された後でも、その反動によって、トイレットペーパーの取り出し部分が巻きまわしされた本体部に戻ることが無くなる。この結果、余り代が残って、使用者は、快適にトイレットペーパーを使用できる。
【００２６】
本考案の第２の考案に係るトイレットペーパーホルダーでは、第１の考案に加えて、接触面は、トイレットペーパーが切断部で切断された後に、トイレットペーパーの取り出し部分に摩擦力を付与する。
【００２７】
この構成により、トイレットペーパーの切断による反動によって、取り出し部分が本体部に戻るのが防止される。
【００２８】
本考案の第３の考案に係るトイレットペーパーホルダーでは、第１又は第２の考案に加えて、接触面は、トイレットペーパーが切断部で切断される際には、回転軸を基準にして、前方下側に傾き、トイレットペーパーが切断部で切断された後には、回転軸を基準にして、後方下側に傾く。
【００２９】
この構成により、トイレットペーパーの切断による反動が、低減もしくは消失される。結果として、余り代が残ることになる。
【００３０】
本考案の第４の考案に係るトイレットペーパーホルダーでは、第１から第３のいずれかの考案に加えて、バーは、トイレットペーパーの引き出し方向に沿って回動する。
【００３１】
この構成により、バーは、トイレットペーパーの取り出しを補助しつつ、切断反動を低減する。
【００３２】
本考案の第５の考案に係るトイレットペーパーホルダーでは、第１から第４のいずれかの考案に加えて、バーは、切断部と略平行に設けられる。
【００３３】
この構成により、バーは、トイレットペーパーの取り出しを補助しつつ、切断反動を低減する。
【００３４】
本考案の第６の考案に係るトイレットペーパーホルダーでは、第１から第５のいずれかの考案に加えて、バーは、回転軸を基準として、トイレットペーパーの取り出し側に設けられる。
【００３５】
この構成により、バーは、トイレットペーパーの取り出しを補助する。また、余り代を、使用者側に残すことができる。
【００３６】
本考案の第７の考案に係るトイレットペーパーホルダーでは、第１から第６の考案に加えて、接触面の少なくとも一部は、トイレットペーパーの裏面と、接触可能である。
【００３７】
この構成により、接触面は、摩擦をトイレットペーパーに付与して、切断後の反動による戻りを防止できる。
【００３８】
本考案の第８の考案に係るトイレットペーパーホルダーでは、第１から第７のいずれかの考案に加えて、接触面は、収容部および切断部よりも高い摩擦係数を有する。
【００３９】
この構成により、接触面は、摩擦による作用をより強く働かせることができる。
【００４０】
本考案の第９の考案に係るトイレットペーパーホルダーでは、第１から第８の考案に加えて、接触面は、トイレットペーパーの取り出し方向と略垂直である、第１端部および第２端部を有し、第１端部は、回転軸側に位置し、第２端部は、切断部側に位置し、トイレットペーパーが、切断部で切断される際には、第１端部が第２端部よりも高い位置にあり、トイレットペーパーが、切断部で切断された後には、第２端部が第１端部よりも高い位置にある。
【００４１】
この構成により、バーは、トイレットペーパーを送り出すのを補助しつつ、反動によって戻るのを防止できる。
【００４２】
本考案の第１０の考案に係るトイレットペーパーホルダーでは、第９の考案に加えて、トイレットペーパーが切断部で切断される際には、トイレットペーパーの裏面は、第２端部および接触面の少なくとも一部と接触し、トイレットペーパーが切断部で切断された後には、トイレットペーパーの裏面は、第１端部および接触面の少なくとも一部と接触する。
【００４３】
この構成により、バーは、トイレットペーパーの切断後の反動を吸収して、余り代を残すことができる。
【００４４】
本考案の第１１の考案に係るトイレットペーパーホルダーでは、第９又は第１０の考案に加えて、第２端部と切断部は、所定の離隔距離を有し、トイレットペーパーが切断部で切断された後には、離隔距離に相当する余り代が生じる。
【００４５】
この構成により、トイレットペーパーホルダーは、次の使用に容易性を提供できる。
【００４６】
本考案の第１２の考案に係るトイレットペーパーホルダーでは、第１から第１０のいずれかの考案に加えて、切断部は、湾曲部分を有している。
【００４７】
この構成により、切断部は、より容易にトイレットペーパーを切断できる。
【００４８】
本考案の第１３の考案に係るトイレットペーパーホルダーでは、第１から第１２のいずれかの考案に加えて、回動軸に垂直方向のバーの断面形状は、略三角形もしくは略台形である。
【００４９】
この構成により、バーは、容易に回動できる。
【００５０】
以下、図面を用いて、本考案の実施の形態について説明する。
【００５１】
（実施の形態）
【００５２】
実施の形態について説明する。
【００５３】
（全体概要）
まず、本考案のトイレットペーパーホルダーの全体概要を説明する。
【００５４】
図１は、本考案の実施の形態におけるトイレットペーパーホルダーの斜視図である。トイレレットペーパーホルダー１が、トイレットペーパー４を収容していることが分かるように、収容部２と対応する蓋３を透明にして示している。
【００５５】
トイレットペーパーホルダー１は、収容部２、回転軸５、バー７、切断部８を備える。収容部２は、トイレットペーパー４を収容する。回転軸５は、トイレットペーパー４の芯６の内部を貫通して、トイレットペーパー４を回転可能とする。バー７は、回転軸５と同じ回転方向に回動が可能である。また、バー７は、トイレットペーパー４の取り出しに合わせて取り出し部分にあてがわれる。このとき、バー７は、接触面７１を有しており、トイレットペーパー４の取り出し部分が、この接触面７１にあてがわれる。
【００５６】
切断部８は、トイレットペーパー４の取り出し部分を切断する。使用者が、切断部８にトイレットペーパーのある位置をあてがって、切断部８に沿って、トイレットペーパー４の取り出し部分を切断する。切断部８は、回転軸５を基準にして、バー７よりも前方（先端）かつ下方に設けられる。すなわち、回転軸５を基準に、トイレットペーパー４が取り出される方向に従って、バー７、切断部８が位置する。また、バー７よりも下に切断部８が位置するので、トイレットペーパー４は、バー７で接触して下方に垂れた上で、切断部８によって切断される。
【００５７】
ここで、トイレットペーパー４は、取り出されるとまずバー７の接触面７１に接触する。バー７は、回転軸５と同じ方向に回動可能であるので、トイレットペーパー４の取り出し方向に沿って回動する。トイレットペーパー４が取り出されつつ接触面７１に接触するので、トイレットペーパー４の取り出しに合わせて、バー７は、回転軸５を基準として、前方下方側に傾く。この傾いたバー７の接触面７１にトイレットペーパー４の取り出し部分が接触することで、トイレットペーパー４が切断される際には、トイレットペーパー４の取り出し部分は、バー７と切断部８との間の長さの余裕が生じる。
【００５８】
次に、切断部８でトイレットペーパー４の取り出し分部が切断される。この切断の際には、トイレットペーパー４の取り出し部分は、前方下側に傾いたバー７の接触面７１に接触している。トイレットペーパー４の取り出し部分が切断された後で、バー７の傾きがそのままであると、接触面７１の摩擦によって、トイレットペーパー４の取り出し部分が、バー７より前に残ることになる。すなわち、バー７と切断部８との距離に相応する余り代が切断後も残る。
【００５９】
あるいは、切断部８でトイレットペーパー４の取り出し分が切断されると、切断された勢いで、トイレットペーパー４が上に上がる。この結果、バー７は、回転軸５を基準として、後方下側に傾く。この結果、トイレットペーパー４は、巻きまわされている本体部に戻りにくくなり、余り代が切断後も残る。
【００６０】
このように、本考案の実施の形態におけるトイレットペーパーホルダー１は、切断後も余り代を残すので、使用者にとっての不快感が生じない。すなわち、トイレットペーパー４の取り出し部分の余り代が、常に本体部２から外に出ているので、次のトイレットペーパーを取り出すのに余計な苦労をすることがない。結果として、トイレ空間を更に快適かつ衛生的に維持できる。
【００６１】
次に各部の詳細について説明する。
【００６２】
（収容部）
収容部２は、トイレットペーパー４を収容する。図２は、本考案のトイレットペーパーホルダーの斜視図である。図２は、収容部２に対応する蓋３を取り除いた状態を示している。収容部２は、蓋３と合体することで、トイレットペーパー４を収容する。蓋３が取り除かれることで、トイレットペーパー４の取替えが可能となる。
【００６３】
収容部２は、図１，２に示されるように、トイレットペーパー４の下側にあてがわれて、下側を完全にカバーする形態であっても良いし、下側に開口部があって、底面からトイレットペーパー４に繋がっている状態でも良い。要は、収容部２は、トイレットペーパー４を収容できればよい。
【００６４】
蓋３は、収容部２と対応して設けられる。蓋３は、本考案のトイレットペーパーホルダー１にとって必須要素ではないが、トイレットペーパー４が誤ってぬれたりするのを防止できる。蓋３は、収容部２と別体であって、収容部２から完全に取り外し可能であっても良いし、収容部２の端部と嵌合しており、開閉可能であっても良い。
【００６５】
収容部２は、回転軸５を設置するための耳２１を有していることも好適である。耳２１は、収容部２の両端に設けられ、回転軸５を受けることができる。
【００６６】
収容部２は、樹脂、金属、合金などで形成されれば良い。特に、樹脂で形成されることで、軽量化できて使用感が高まる。蓋３も、樹脂、金属、合金などで形成されれば良い。また、蓋３が樹脂で形成される場合には、透明もしくは半透明であることも好適である。半透明もしくは透明であることで、使用者が、トイレットペーパー４の残量を一目で確認できるからである。
【００６７】
また、収容部２は、その他の要素であるバー７や切断部８と一体であったり、接続されていたりすることも好適である。バー７や切断部８のそれぞれは、所定の位置関係において所定の機能を実現する。このように要素としては異なるが、収容部２に一体的に備わることで、トイレットペーパーホルダー１の設置や輸送が容易となる。
【００６８】
（回転軸）
回転軸５は、収容部２に備えられ、トイレットペーパー４の芯６内部を貫通する。トイレットペーパー４は、内部が空洞である芯６を有しているので、回転軸５は、この芯６内部を貫通して、トイレットペーパー４を回転可能にする。
【００６９】
回転軸５は、自身が回転してトイレットペーパー４を回転させてもよいし、自身は回転せず（あるいは少しだけ回転して）、トイレットペーパー４を回転させる。トイレットペーパー４は、回転することで、取り出されるようになる。回転軸５は、このトイレットペーパー４がスムーズに回転するための要素である。
【００７０】
図３は、本考案の実施の形態における収容部と取り付けられる回転軸とを示す斜視図である。図３に示されるトイレットペーパーホルダー１は、蓋３が取り除かれ、回転軸５が、収容部２に取り付けられる前の状態を示している。収容部２は、回転軸５にあてがわれる耳２１を、その両端に備えている。回転軸５は、この一対の耳２１にあてがわれて、収容部２に設置される。もちろん、回転軸５は、まず、トイレットペーパー２の芯６内部を貫通した後で、耳２１に設置される。
【００７１】
回転軸５は、耳２１にあてがわれるだけであるので、回転することも可能であり、トイレットペーパー４の取り出しに従って芯６が回転する際に、芯６の回転に合わせて、回転軸５が回転しても良い。この結果、トイレットペーパー４は、スムーズに回転するようになる。
【００７２】
回転軸５は、樹脂、金属、合金、木材、紙材などで形成される。いずれの素材で形成されても良いが、表面処理がなされていることで、トイレットペーパー４の回転がスムーズになるメリットがある。
【００７３】
（バー）
バー７は、トイレットペーパー４の取り出し部分にあてがわれる。このため、バー７は、トイレットペーパー４の取り出し部分に設置される。図３などに示されるように、収容部２の先端（回転軸５の前方）に設けられる。バー７は、回転軸５での回転方向と同じ方向に回動可能である。すなわち、トイレットペーパー４の取り出し方向に沿って回動する。
【００７４】
バー７は、収容部２の先端に設けられる。すなわち、回転軸５を基準として、トイレットペーパー４の取り出し側に設けられる。このような位置に設けられることで、バー７は、トイレットペーパー４の取り出し部分にあてがわれるようになる。
【００７５】
また、図１〜３に示されるように、バー７は、切断部８と略平行に設けられる。ここで、切断部８が、湾曲している場合には、この湾曲に対して略平行である必要は無く、切断部８の接線方向あるいは軸方向と略平行であればよい。バー７が、切断部８と略平行であることで、切断された後のトイレットペーパー４の余り代が、切断部８と平行に残りやすくなる。
【００７６】
バー７は、回転軸５に垂直方向において、略三角形もしくは略台形の断面形状を有している。図４は、本考案の実施の形態におけるバーの斜視図である。図４に示されるように、バー７の断面形状は、略三角形を有している。また、バー７は、回動軸７２を備えている。この回動軸７２が、収容部２の先端部分の両端に接続していることで、バー７が回動するようになる。
【００７７】
バー７は、接触面７１を有している。この接触面７１は、トイレットペーパー４の取り出し部分に接触可能である。より具体的には、トイレットペーパー４が巻きまわされている本体部分から取り出されるのに合わせて、トイレットペーパー４の裏面と接触可能である。トイレットペーパー４の裏面と接触面７１が接触することで、トイレットペーパー４が取り出される際の案内としての役割が実現される。
【００７８】
加えて、トイレットペーパー４に対して摩擦力を付与できる。摩擦力によって、トイレットペーパー４が切断部８で切断された後で、トイレットペーパー４の余り代を残すことができる。
【００７９】
従来技術のトイレットペーパーホルダーでは、トイレットペーパーを切断すると、切断時の反動によって、切断部とトイレットペーパーの本体部との間の余り代が本体部に戻ってしまう。この結果、トイレットペーパーの余り代がなくなってしまい、次に使用する場合には、使用者は、巻きまわされた本体からトイレットペーパーの端部を探さなければならなくなる。これが、使用者にとって非常に不快である。
【００８０】
一方、本考案のトイレットペーパーホルダー１は、回動可能なバー７と接触面７１を備えている。この接触面７１の摩擦力によって、トイレットペーパー５の取り出し部分が切断されても、切断の反動によって、取り出し部分が、巻きまわされているトイレットペーパー４の本体部に戻ることはない。この結果、余り代が確実に残ることになる。
【００８１】
また、この余り代は、バー７と切断部８との距離に応じる。余り代が確実に残ることで、使用者は、トイレットペーパー４の次の取出しが楽になる。
【００８２】
このため、接触面７１は、収容部２および切断部８よりも高い摩擦係数を有することも好適である。例えば、接触面７１の表面処理がなされて、摩擦係数が高くされる。このように摩擦係数が、切断部８などよりも高ければ、トイレットペーパー４が切断された後の反動があっても、余り代が、トイレットペーパー４の巻きまわされている本体部に戻ることがほとんどなくなる。
【００８３】
また、バー７は、接触面７１の摩擦力だけでなく、バー７１の回動によっても、余り代を残すことができる。
【００８４】
また、バー７は、トイレットペーパー４の取り出し方向と略垂直である、一対の端部を有する。すなわち、回動する軸にそって、トイレットペーパー４の取り出し部分に接触する一対の端部である。図４、図５に示されるように、バー７は、回転軸５側に位置する第１端部７３と、切断部８側に位置する第２端部７４を有する。バー７が回動すると、この第１端部７３と第２端部７４とが上下する。すなわち、第１端部７３と第２端部７４とがシーソー動作するようになる。
【００８５】
バー７は、樹脂、金属、合金、木材などで形成されれば良い。また接触面７１は、バー７の表面に形成されても良いし、バー７の表面にシール材などが付着されることで形成されても良い。
【００８６】
バー７は、トイレットペーパーホルダー１の使用期間が長くなるにつれて、劣化する可能性がある。このため、バー７は、交換可能であることも好ましい。例えば図４に示されるように、バー７は、回動軸７２を有しており、この回動軸７２によって、収容部２に交換可能である。
【００８７】
（切断部）
切断部８は、回転軸５を基準にして、バー７より前方下側に位置する。すなわち、トイレットペーパー４の取り出しの最先端に近接して位置する。トイレットペーパー４を最終的に切断する要素だからである。
【００８８】
図５は、本考案の実施の形態におけるトイレットペーパーホルダーの正面図である。図５に示されるように、切断部８は、バー７の下側（図３などよりバー７の先方であることも分かる）に位置することが分かる。また、バー７は、第１端部７３および第２端部７４を有するが、第１端部７３は回転軸５側に位置し、第２端部７４は切断部８側に位置する。
【００８９】
切断部８は、バー７の前方に位置するので、トイレットペーパー４の取り出し部分を、切断のためにあてがうことができる。加えて、切断部８は、バー７の下側に位置するので、トイレットペーパー４を、下側に引き出して切断することもできる。加えて、バー７よりも前方であるので、使用者は、トイレットペーパー４の取り出し部分に角度を付与して、容易に切断することができる。
【００９０】
切断部８は、収容部２の一部として形成されても良いし、別部材として形成されても良い。収容部２の一部として形成される場合には、収容部２の先端が突出することで、この突出する部分が、切断部８を構成する。あるいは、切断部８が収容部２と別体である場合には、突出した部材が、切断部８として収容部２に取り付けられれば良い。
【００９１】
切断部８は、トイレットペーパー４の取り出し部分を切断する必要があるので、先端が鋭利に尖っていたり、切断歯を有していたりすることも好適である。もちろん、使用者にとって危険性が無いように、トイレットペーパーをきることができるが、人体を切ることのないような素材、角度を有していることも好適である。
【００９２】
切断部８は、直線状でもよいし湾曲部分を有していることも好適である。図５などでは、切断部８は、湾曲部分を有している。湾曲部分を有していることで、使用者は、トイレットペーパー４を端から端にかけて切り取りやすくなる。湾曲部分を有することで、切り取り動線に従った切り取りが可能となるからである。
【００９３】
切断部８は、樹脂、金属、合金、木材などで形成される。このとき、切断を容易とするように、切断部８の先端に、硬度の高い素材によるカバーが設けられることもよい。硬度の高いバーによって、トイレットペーパー４の切断が容易となる。
【００９４】
切断部８は、バー７と所定の離隔距離を有する。より正確には、切断部８は、第２端部７４と所定の離隔距離を有する。このため、トイレットペーパー４の取り出し部分が切断部８で切断される際には、この離隔距離に対応する余り代が残るようになる。
【００９５】
このように切断部８によって、トイレットペーパー４の取り出し部分が切り取られる。
【００９６】
（切り取り動作の詳細）
次に、切り取り動作の詳細について説明する。図６は、本考案の実施の形態における使用動作図である。
【００９７】
使用者１１は、トイレにおいて便器１０の上に座っている。トイレットペーパーホルダー１は、トイレの側壁に設置されており、使用者１１の手が届く範囲にある。トイレットペーパーホルダー１は、上述で説明した通りであり、図の見易さのために符号を省略しているが、上述の符号に対応する要素を有している。
【００９８】
使用者１１は、トイレットペーパーホルダー１に収容されているトイレットペーパー４を取り出して使用する。トイレットペーパー４は、巻きまわされている本体部４１と、使用者１１が取り出す取り出し部分４２を有しており、図６に示されるように、使用者１１は、トイレットペーパー４の端部を取り出して、取り出し部分４２が取り出される。
【００９９】
取り出し部分４２は、収容部２および蓋３の端部から外部に出てくる。この結果、使用者１１は、トイレットペーパー４を使用できるようになる。
【０１００】
使用者１１が、トイレットペーパー４を取り出すと、図７に示されるような状態になる。図７は、本考案の実施の形態におけるトイレットペーパーホルダーの側面図である。図７は、トイレットペーパー４が収容されているトイレットペーパーホルダー１を側面から示している。
【０１０１】
図７は、使用者１１がトイレットペーパー４を取り出している状態を示している。すなわち、トイレットペーパー４を切断する際の状態が示されている。トイレットペーパー４が、巻きまわされている本体部４１から取り出し部分４２が収容部２から外に出ている。この取り出し部分４２は、バー７の接触面７１の一部と接触している。
【０１０２】
このとき、バー７は、回動するので、トイレットペーパー４の取り出し部分４１の圧力によって、バー７は、前方下側に傾く。すなわち、第２端部７４が第１端部７３よりも低い位置となる状態となる。これは、図７に示されるとおりである。この結果、取り出し部分４２は、第２端部７４および接触面７１の一部と接触状態になる。この接触状態によって、バー７からの摩擦力が、取り出し部分４２の裏面に付与されることになる。
【０１０３】
このような状態となる結果、トイレットペーパー４は、本体部４１から取り出されて、バー７、切断部８の順序で、その裏面を接触させるようになる。
【０１０４】
使用者１１が、トイレットペーパー４の取り出し部分４２を切断部８にあてがって、切断する。切断されると、切断の反動がトイレットペーパー４に生じる。この反動は、取り出し部分４２が本体部４１に戻るような圧力となる。
【０１０５】
従来技術のトイレットペーパーホルダーでは、この反動圧力によって、取り出し部分が本体部に戻ってしまって、余り代が残らない問題があった。
【０１０６】
これに対して、大きく２通りのメカニズムによって、本考案のトイレットペーパーホルダー１は、余り代を残す。
【０１０７】
（メカニズム１）
まず、接触面７１、第１端部７３、第２端部７４は、摩擦力を有している。使用者１１が、トイレットペーパー４の取り出し部分４２を切断部８で切断すると、反動で取り出し部分４２が戻るようになる。しかしながら、取り出し部分４２の裏面は、接触面７１および第２端部７４の少なくとも一部と接触している。この接触により、取り出し部分４２の裏面には摩擦力が働いている。先に述べたように、接触面７１の摩擦係数が高い場合には、より強い摩擦力が付与される。
【０１０８】
この摩擦力によって、取り出し部分４２は、本体部４１に戻ることなく（あるいは、収容部２内部に戻ることなく）、バー７の前方下側に残る。この残った部分が余り代４５となる。このため、余り代４５は、バー７から（あるいは第２端部７４から）切断部８までの離隔距離に対応する長さを有する。
【０１０９】
図８は、本考案の実施の形態におけるトイレットペーパーホルダーの側面図である。図８は、取り出し部分４２が切断された後の状態を側面から示している。切断後の取り出し部分４２は、バー７の摩擦力によって収容部２に戻ることなく、バー７の先端に垂れ下がっている。この垂れ下がっている部分が余り代４５として、収容部２の外側に残る。言い換えれば、トイレットペーパー４の本体部４１の外側に、余り代４５が残っている状態となる。この余り代４５によって、使用者１１は、トイレットペーパー４の取出しが容易となる。
【０１１０】
このように、使用者１１が、トイレットペーパー４を切断した後でも、バー７（接触面７１や端部７３、７４も含む）の摩擦力によって、余り代４５が残る。余り代４５が残ることによって、使用者１１は、不快を感じることなく、次の使用のためのトイレットペーパー４を取り出すことができる。
【０１１１】
（メカニズム２）
図７に示されるとおり、取り出し部分４２が切断される際には、使用者１１によって前方下側に引っ張られることに応じて、バー７は、前方下側に傾く。言い換えれば、第１端部７３は、第２端部７４よりも高い位置にある。この状態では、取り出し部分４２は、第１端部７３および接触面７１の少なくとも一部と接触している。この接触によって、切断部８での切断が容易となる。
【０１１２】
切断部８で、取り出し部分４２が切断されると、取り出し部分４２が本体部２に戻るような反動が生じる。このとき、この反動の圧力は、取り出し部分４２を通じてバー７にも伝達される。
【０１１３】
このバー７への反動の伝達によって、バー７は、その傾き方向を変化させる。すなわち、図８に示されるように、バー７は、後方下側に傾くようになる。言い換えれば、第１端部７３は、第２端部７４よりも低い位置になる。この結果、第２端部７４は、上向きになる。
【０１１４】
第２端部７４が上向きになることで、取り出し部分４２が引っ掛かるような状態となる。すなわち、取り出し部分４２へのストッパーの役割を、バー７が果たすことになる。第２端部７４が、抑えの役割を果たすからである。
【０１１５】
この結果、取り出し部分４２は、余り代４５として、バー７の前方下側に残ることになる。図８に示されるとおりである。これは、メカニズム１の場合と同様である。余り代４５が残れば、使用者１１は、次の使用において、トイレットペーパー４を簡単に取り出せるようになる。
【０１１６】
このように、従来技術のトイレットペーパーホルダーは、切断後の反動で、取り出し部分が、本体部に戻ってしまうことが問題であった。バー７は、この反動を消失させたり、反動に対抗したりすることで、取り出し部分４２が本体部４１に戻ることを防止できる。バー７は、摩擦力や回動による反転によって、この反動を消失させたり対抗したりできる。
【０１１７】
また、切断部８が、バー７の前方下側に位置することで、バー７と切断部８の離隔距離に相当する余り代４５が残るようになる。これだけの長さの余り代４５であれば、使用者１１は、次の使用においてトイレットペーパー４を簡単に取り出せるようになる。
【０１１８】
この結果、使用者１１は、不快感なく、トイレットペーパー４を使用できる。この結果、清潔感も高まり、トイレの使用における快適感が更に高まる。このように、トイレットペーパーホルダー１が書いて期間を提供できれば、トイレ文化の向上にも繋がる。
【０１１９】
以上、実施の形態で説明されたトイレットペーパーホルダーは、本考案の趣旨を説明する一例であり、本考案の趣旨を逸脱しない範囲での変形や改造を含む。
【符号の説明】
【０１２０】
１    トイレットペーパーホルダー
２    収容部
３    蓋
４    トイレットペーパー
４１    本体部
４２    取り出し分
４５    余り代
５    回転軸
６    芯
７    バー
７１    接触面
７２    回動軸
７３    第１端部
７４    第２端部
８    切断部
１０    便器
１１    使用者
【図１】
0003175095.tif 000003
【図２】
0003175095.tif 000004
【図３】
0003175095.tif 000005
【図４】
0003175095.tif 000006
【図５】
0003175095.tif 000007
【図６】
0003175095.tif 000008
【図７】
0003175095.tif 000009
【図８】
0003175095.tif 000010